(57)【要約】  本開示の態様は、面内光学軸を備えた光学マイクロ電気機械システム（ＭＥＭＳ）構造のウェーハ試験を実行するための集積化光学プローブカード及びシステムに関する。光学ＭＥＭＳ構造のオンウェーハ光学スクリーニングは、光の垂直注入を用いた光学ＭＥＭＳ構造の試験を可能にするために、面内光学軸に垂直な面外方向と、面内光学軸と平行な面内方向との間で光を方向転換するための１つ又は複数のマイクロ光学ベンチコンポーネントを利用して実行されてもよい。【選択図】図２
2020513687.tif 000002
【特許請求の範囲】
【請求項１】
光学ＭＥＭＳ構造をバッチ試験するための集積化光学プローブカードにおいて、
入力ビームを生成するように、且つ光学ＭＥＭＳ構造の方へ前記入力ビームを提供するように構成されたソースであって、光学ＭＥＭＳ構造が、面内光学軸を含み、前記入力ビームが、前記面内光学軸に垂直な面外方向に伝搬するソースと、
前記光学ＭＥＭＳ構造からの出力ビームを受信するように光学的に結合された検出器であって、前記出力ビームが、前記面外方向に伝搬する検出器と、
前記面外方向と面内方向との間で前記入力ビーム及び前記出力ビームを方向転換するように光学的に結合されたマイクロ光学ベンチコンポーネントであって、前記面内方向が、前記光学ＭＥＭＳ構造の前記面内光学軸を含むマイクロ光学ベンチコンポーネントと、
含むことを特徴とする集積化光学プローブカード。
【請求項２】
請求項１に記載の集積化光学プローブカードにおいて、
前記マイクロ光学ベンチコンポーネントが、
前記光学ＭＥＭＳ構造内の前記入力ビームの伝搬用に、前記面外方向から前記面内方向に前記入力ビームを方向転換するように光学的に結合された第１のマイクロ光学ベンチコンポーネントと、
前記面内方向から前記面外方向に前記出力ビームを方向転換するように光学的に結合された第２のマイクロ光学ベンチコンポーネントと、
を含むことを特徴とする集積化光学プローブカード。
【請求項３】
請求項２に記載の集積化光学プローブカードにおいて、
前記第１のマイクロ光学ベンチコンポーネントが、第１の切断面を生成するために、４５度の切断角度で切断された第１の光ファイバを含み、
前記第２のマイクロ光学ベンチコンポーネントが、第２の切断面を生成するために、４５度の切断角度で切断された第２の光ファイバを含むことを特徴とする集積化光学プローブカード。
【請求項４】
請求項３に記載の集積化光学プローブカードにおいて、
前記第１の切断面が、全内部反射を利用して前記光学ＭＥＭＳ構造の方へ、前記面外方向から前記面内方向に前記入力ビームを方向転換するように構成され、
前記第２の切断面が、全内部反射を利用して前記検出器の方へ、前記面内方向から前記面外方向に前記出力ビームを方向転換するように構成されることを特徴とする集積化光学プローブカード。
【請求項５】
請求項３に記載の集積化光学プローブカードにおいて、
前記第１の切断面が、前記光学ＭＥＭＳ構造の方へ、前記面外方向から前記面内方向に前記入力ビームを方向転換するように構成された第１の反射コーティングを含み、
前記第２の切断面が、前記検出器の方へ、前記面内方向から前記面外方向に前記出力ビームを方向転換するように構成された第２の反射コーティングを含むことを特徴とする集積化光学プローブカード。
【請求項６】
請求項５に記載の集積化光学プローブカードにおいて、
前記第１及び前記第２の光ファイバのそれぞれが、それぞれの集積化ｇｒｉｎレンズを含むことを特徴とする集積化光学プローブカード。
【請求項７】
請求項２に記載の集積化光学プローブカードにおいて、
前記第１のマイクロ光学ベンチコンポーネントが、第１のマイクロプリズムを含み、前記第２のマイクロ光学ベンチコンポーネントが、第２のマイクロプリズムを含み、
前記ソースから前記入力ビームを受信するように、且つ前記第１のマイクロプリズムの方へ前記入力ビームを導くように光学的に結合された入力光ファイバと、
前記第２のマイクロプリズムから前記出力ビームを受信するように、且つ前記検出器の方へ前記出力ビームを導くように光学的に結合された出力光ファイバと、
を更に含むことを特徴とする集積化光学プローブカード。
【請求項８】
請求項７に記載の集積化光学プローブカードにおいて、
前記第１のマイクロプリズムが、前記光学ＭＥＭＳ構造の方へ、前記面外方向から前記面内方向に前記入力ビームを方向転換するように構成された前記第１の金属化表面を含み、
前記第２のマイクロプリズムが、前記検出器の方へ、前記面内方向から前記面外方向に前記出力ビームを方向転換するように構成された前記第２の金属化表面を含むことを特徴とする集積化光学プローブカード。
【請求項９】
請求項８に記載の集積化光学プローブカードにおいて、
前記第１の金属化表面及び前記第２の金属化表面が、各々の曲面をそれぞれ含むことを特徴とする集積化光学プローブカード。
【請求項１０】
請求項８に記載の集積化光学プローブカードにおいて、
前記入力光ファイバが、前記第１のマイクロプリズムを介して、前記光学ＭＥＭＳ構造に前記入力ビームを集束させるように光学的に結合された第１の集積化レンズを含み、
前記出力光ファイバが、前記検出器の方へ、前記出力ビームを集束させるように光学的に結合された第２の集積化レンズを含むことを特徴とする集積化光学プローブカード。
【請求項１１】
請求項７に記載の集積化光学プローブカードにおいて、
前記第１のマイクロプリズムが、全内部反射を利用して前記光学ＭＥＭＳ構造の方へ、前記面外方向から前記面内方向に前記入力ビームを方向転換するように構成され、
前記第２のマイクロプリズムが、全内部反射を利用して前記検出器の方へ、前記面内方向から前記面外方向に前記出力ビームを方向転換するように構成されることを特徴とする集積化光学プローブカード。
【請求項１２】
請求項１１に記載の集積化光学プローブカードにおいて、
前記第１のマイクロプリズム及び前記第２のマイクロプリズムが、各々の曲面をそれぞれ含むことを特徴とする集積化光学プローブカード。
【請求項１３】
請求項１に記載の集積化光学プローブカードにおいて、
前記面外方向に伝搬する前記入力ビームを前記マイクロ光学ベンチコンポーネントの方へ導くように光学的に結合された、且つ前記マイクロ光学ベンチコンポーネントから前記面外方向に伝搬する前記出力ビームを受信するように更に光学的に結合されたシングルコア光ファイバと、
前記シングルコアファイバ、前記ソース及び前記検出器に光学的に結合された方向性結合器であって、前記ソースからの前記入力ビームを前記シングルコアファイバに導くように、且つ前記シングルコアファイバからの前記出力ビームを前記検出器に導くように構成される方向性結合器と、
を更に含むことを特徴とする集積化光学プローブカード。
【請求項１４】
請求項１に記載の集積化光学プローブカードにおいて、
前記ソースからの前記入力ビームを前記マイクロ光学ベンチコンポーネントの方へ導くように光学的に結合された、且つ前記マイクロ光学ベンチコンポーネントからの前記出力ビームを前記検出器に導くように更に光学的に結合されたデュアルコア光ファイバ又は光ファイバ束を更に含むことを特徴とする集積化光学プローブカード。
【請求項１５】
請求項１に記載の集積化光学プローブカードにおいて、
電子プローブカードに取り付けられることを特徴とする集積化光学プローブカード。
【請求項１６】
請求項１５に記載の集積化光学プローブカードにおいて、
前記電子プローブカードの１つ又は複数の電子ニードルに接して組み立てられることを特徴とする集積化光学プローブカード。
【請求項１７】
請求項１に記載の集積化光学プローブカードにおいて、
前記マイクロ光学ベンチコンポーネントが作製されるプローブカード本体を更に含み、且つ少なくとも１つの光ファイバを受け入れるように構成される、前記プローブカード本体上に作製される少なくとも１つのグルーブを更に含むことを特徴とする集積化光学プローブカード。
【請求項１８】
試験下の複数のダイであって、試験下の前記ダイのそれぞれが、複数の光学ＭＥＭＳ構造のそれぞれの１つを含み、前記複数の光学ＭＥＭＳ構造のそれぞれが、面内光学軸を含む試験下の複数のダイと、
試験下の前記複数のダイ間の前記複数のダイシングストリート内に作製された複数のマイクロプリズムと、
を含むウェーハであって、
前記複数のマイクロプリズムのそれぞれが、第１の表面又は第２の表面の少なくとも１つを含み、
前記第１の表面が、前記面内光学軸に垂直な面外方向に伝搬する入力ビームを光学プローブカードから受信するように、且つ前記光学ＭＥＭＳ構造内の前記入力ビームの伝搬用に、前記複数の光学ＭＥＭＳ構造における光学ＭＥＭＳ構造の方へ、前記面外方向から、前記面内光学軸を含む面内方向に前記入力ビームを方向転換するように構成され、
前記第２の表面が、前記面内方向に伝搬する出力ビームを前記光学ＭＥＭＳ構造から受信するように、且つ光学プローブカードの方へ、前記面内方向から前記面外方向に前記出力ビームを方向転換するように構成されることを特徴とするウェーハ。
【請求項１９】
請求項１８に記載のウェーハにおいて、
前記前記複数のマイクロプリズムの第１のマイクロプリズムが、前記複数の光学ＭＥＭＳ構造の第１の光学ＭＥＭＳ構造の第１の側における前記複数のダイシングストリートの第１のダイシングストリート内に作製され、
前記複数のマイクロプリズムの第２のマイクロプリズムが、前記第１の光学ＭＥＭＳ構造の第２の側における前記複数のダイシングストリートの第２のダイシングストリート内に作製されることを特徴とするウェーハ。
【請求項２０】
請求項１９に記載のウェーハにおいて、
前記第１のマイクロプリズムが、前記前記光学プローブカードから前記入力ビームを受信するように、且つ前記第１の光学ＭＥＭＳ構造の方へ、前記面外方向から前記面内方向に前記入力ビームを方向転換するように構成された前記第１の表面を含み、
前記第２のマイクロプリズムが、前記第１の光学ＭＥＭＳ構造から前記出力ビームを受信するように、且つ前記光学プローブカードの方へ、前記面内方向から前記面外方向に前記出力ビームを方向転換するように構成された前記第２の表面を含むことを特徴とするウェーハ。
【請求項２１】
請求項２０に記載のウェーハにおいて、
前記第１のマイクロプリズムの前記第１の表面が、前記第１の光学ＭＥＭＳ構造の方へ、前記面外方向から前記面内方向に前記入力ビームを方向転換するように構成された第１の反射コーティングを含み、
前記第２のマイクロプリズムの前記第２の表面が、前記光学プローブカードの方へ、前記面内方向から前記面外方向に前記出力ビームを方向転換するように構成された前記第２の反射コーティングを含むことを特徴とするウェーハ。
【請求項２２】
請求項２０に記載のウェーハにおいて、
前記第１のマイクロプリズムの前記第１の表面が、全内部反射を利用して、前記第１の光学ＭＥＭＳ構造の方へ、前記面外方向から前記面内方向に前記入力ビームを方向転換するように構成され、
前記第２のマイクロプリズムの前記第２の表面が、全内部反射を利用して、前記光学プローブカードの方へ、前記面内方向から前記面外方向に前記出力ビームを方向転換するように構成されることを特徴とするウェーハ。
【請求項２３】
請求項１８に記載のウェーハにおいて、
前記複数のマイクロプリズムの第１のマイクロプリズムが、前記第１の表面及び前記第２の表面を含み、
前記第１の表面が、前記第２の表面を含むことを特徴とするウェーハ。
【請求項２４】
ウェーハ試験を実行するためのシステムにおいて、
試験下の複数のダイを含むウェーハであって、試験下の前記ダイのそれぞれが、複数の光学ＭＥＭＳ構造のそれぞれの１つを含み、前記複数の光学ＭＥＭＳ構造のそれぞれが、面内光学軸を含む、ウェーハと、
光学プローブカードであって、
入力ビームを生成するように、且つ前記複数の光学ＭＥＭＳ構造における光学ＭＥＭＳ構造の方へ前記入力ビームを提供するように構成されたソースであって、前記入力ビームが、前記面内軸に垂直な面外方向に伝搬するソースと、
前記光学ＭＥＭＳ構造から出力ビームを受信するように光学的に結合された検出器であって、前記出力ビームが、前記面外方向に伝搬する検出器と、を含む光学プローブカードと、
前記面外方向と面内方向との間で前記入力ビーム及び前記出力ビームを方向転換するように光学的に結合されたマイクロ光学ベンチコンポーネントであって、前記面内方向が、前記光学ＭＥＭＳ構造の前記面内光学軸を含むマイクロ光学ベンチコンポーネントと、
を含むことを特徴とするシステム。
【請求項２５】
請求項２４に記載のシステムにおいて、
前記マイクロ光学ベンチコンポーネントが、試験下の前記複数のダイ間の前記ウェーハ上の複数のダイシングストリート内に作製された複数のマイクロプリズムを含むことを特徴とするシステム。
【請求項２６】
請求項２４に記載のシステムにおいて、
前記マイクロ光学ベンチコンポーネントが、前記光学プローブカード上に作製されることを特徴とするシステム。
【発明の詳細な説明】
【技術分野】
【０００１】
優先権の主張
本出願は、２０１６年１１月２１日に米国特許商標庁に出願された仮出願第６２／４２５，０２８号、及び２０１７年１１月２０日に米国特許商標庁に出願された米国特許出願第１５／８１８，７３６号の優先権及び利益を主張し、それらの出願の内容全体が、あたかもその全体において以下で完全に明らかにされるかのように、且つ全ての適用可能な目的のために、参照によって本明細書に援用される。
【０００２】
以下で論じられる技術は、一般に、ダイのオンウェーハ試験を実行するために使用されるプローブカードに関し、特に、光学マイクロ電気機械システム（ＭＥＭＳ）構造のオンウェーハ試験用のプローブカードに関する。
【背景技術】
【０００３】
電子プローブカードは、ウェーハレベルにおいて何千ものチップ又はダイを特徴付けるために、半導体メーカによって広く用いられている。市販の電子プローブカードは、ダイ上における試験下のデバイスに入力電気信号を供給し、次に出力信号を精査するために、特定の位置でダイと接触するように設計される垂直の金属針を典型的に含む。
【０００４】
相補型金属酸化膜（ＣＭＯＳ）センサ、発光ダイオード（ＬＥＤ）、光検出器及び他の小型光学装置の導入と共に、光電子プローブカードが、ウェーハレベルにおけるこれらのデバイスの機能及び性能を特徴付けて試験するために開発された。例えば、光電子プローブカードが、ウェーハレベルでフォトダイオードを試験するために用いられ、その場合に光ビームが、ファイバコイルを介して垂直に注入され、同時に電子プローブは、試験下のフォトダイオードからの出力電気信号を感知する。同じ技術はまた、レンズアレイ及び光導波路アレイを用いるＬＥＤアレイを特徴付けるために用いられてきた。オンウェーハマイクロミラーもまた、光学光を垂直に注入及び受信することによって特徴付けられてきた。
【０００５】
加えて、ウェーハと平行に伝搬する光を必要とする光学コンポーネントを含むデバイス（例えば光学回路及び平面光波回路（ＰＬＣ））のオンウェーハ測定は、光を面内に水平に注入する試験装置を利用して実行されてきた。しかしながら、水平光結合でウェーハの側面からウェーハにアクセスするかかる光学試験装置は、従来の電子プローブカードに容易に集積することができない。
【発明の概要】
【０００６】
下記は、本開示の１つ又は複数の態様の基本的理解を提供するために、本開示の１つ又は複数の態様の簡略化された概要を提供する。この概要は、本開示の全ての考えられる特徴の広範囲な概観でなく、且つ本開示の全ての態様の主要な又は重要な要素を識別するようにも、本開示のいずれか又は全ての態様を描写するようにも意図されていない。その唯一の目的は、後で提示される一層詳細な説明の前置きとして、簡略化された形式で本開示の１つ又は複数の態様の幾つかの概念を提示することである。
【０００７】
本開示の様々な態様は、面内光学軸を備えた光学マイクロ電気機械システム（ＭＥＭＳ）構造のウェーハ試験を実行するための集積化光学プローブカード及びシステムを提供する。光学ＭＥＭＳ構造のオンウェーハ光学スクリーニングは、光の垂直注入を用いた光学ＭＥＭＳ構造の試験を可能にするために、面内光学軸に垂直な面外方向と、面内光学軸と平行な面内方向との間で光を方向転換するための１つ又は複数のマイクロ光学ベンチコンポーネントを利用して実行されてもよい。かかる構成は、電子プローブカードの１つ又は複数の電子ニードルと接触して光学プローブカードを組み立てることができるようにする。
【０００８】
幾つかの例において、マイクロ光学ベンチコンポーネントは、光学プローブカードと統合されてもよい。他の例において、マイクロ光学ベンチコンポーネントは、光学ＭＥＭＳ構造を含むウェーハ上に作製されてもよい。例えば、マイクロ光学ベンチコンポーネントは、ウェーハのダイシングストリートに作製されてもよい。
【０００９】
本開示の一態様において、光学ＭＥＭＳ構造のバッチ試験用の集積化光学プローブカードが提供される。集積化光学プローブカードは、入力ビームを生成するように、且つ光学ＭＥＭＳ構造の方へ入力ビームを提供するように構成されたソースを含み、光学ＭＥＭＳ構造は、面内光学軸を含み、入力ビームは、面内光学軸に垂直な面外方向に伝搬する。集積化光学プローブカードは、光学ＭＥＭＳ構造からの出力ビームを受信するように光学的に結合された検出器を更に含み、出力ビームは、面外方向に伝搬する。集積化光学プローブカードは、面外方向と、光学ＭＥＭＳ構造の面内光学軸を含む面内方向との間で入力ビーム及び出力ビームを方向転換するように光学的に結合されたマイクロ光学ベンチコンポーネントを更に含む。
【００１０】
本開示の別の態様は、試験下の複数のダイを含むウェーハを提供し、各ダイは、面内光学軸を含む複数の光学ＭＥＭＳ構造のそれぞれの１つを含む。ウェーハは、試験下の複数のダイ間の複数のダイシングストリート内に作製された複数のマイクロプリズムを更に含む。マイクロプリズムのそれぞれは、第１の表面又は第２の表面の少なくとも１つを含む。第１の表面は、面内光学軸に垂直な面外方向に伝搬する入力ビームを光学プローブカードから受信するように、且つ光学プローブカードの方へ、面外方向から面内光学軸を含む面内方向に入力ビームを方向転換するように構成されてもよい。第２の表面は、面内方向に伝搬する出力ビームを光学ＭＥＭＳ構造から受信するように、且つ光学プローブカードの方へ、面内方向から面外方向に出力ビームを方向転換するように構成されてもよい。
【００１１】
本開示の別の態様は、ウェーハ試験を実行するためのシステムを提供する。システムは、試験下の複数のダイを含むウェーハを含み、各ダイは、面内光学軸を有する複数の光学ＭＥＭＳ構造のそれぞれの１つを含む。システムは、入力ビームを生成するように、且つ複数の光学ＭＥＭＳ構造における光学ＭＥＭＳ構造の方へ入力ビームを提供するように構成されたソースを含む光学プローブカードを更に含み、入力ビームは、面内軸に垂直な面外方向に伝搬する。光学プローブカードは、光学ＭＥＭＳ構造から出力ビームを受信するように光学的に結合された検出器を更に含み、出力ビームは、面外方向に伝搬する。システムは、面外方向と、光学ＭＥＭＳ構造の面内光学軸を含む面内方向との間で入力ビーム及び出力ビームを方向転換するように光学的に結合されたマイクロ光学ベンチコンポーネントを更に含む。
【００１２】
本発明のこれらや他の態様は、後に続く詳細な説明の検討により、一層完全に理解されるであろう。本発明の他の態様、特徴及び実施形態は、添付の図と共に、本発明の特定の例示的な実施形態の以下の説明の検討により、当業者に明らかになろう。本発明の特徴は、以下の或る実施形態及び図に関連して説明され得るが、本発明の全ての実施形態は、本明細書で説明される有利な特徴の１つ又は複数を含むことができる。換言すれば、１つ又は複数の実施形態はまた、或る有利な特徴を有するように説明され得るが、かかる特徴の１つ又は複数はまた、本明細書で説明される本発明の様々な実施形態に従って用いられてもよい。同様の方式で、例示的な実施形態は、デバイス、システム又は方法実施形態として以下で説明され得るが、かかる例示的な実施形態が、様々なデバイス、システム及び方法において実施され得ることを理解されたい。
【図面の簡単な説明】
【００１３】
【図１】図１は、本開示の幾つかの態様による、ウェーハ上に作製され得る光学ＭＥＭＳ構造の例を示す図である。
【図２】図２は、本開示の幾つかの態様による、ウェーハ上に作製された光学プローブカード及びマイクロ光学ベンチコンポーネントを用いて試験するための、光学ＭＥＭＳ構造を自らに有するウェーハを含むシステムの例を示す図である。
【図３】図３は、本開示の幾つかの態様による、ウェーハ上に作製された光学プローブカード及びマイクロ光学ベンチコンポーネントを用いて試験するための、光学ＭＥＭＳ構造を自らに有するウェーハを含むシステムの別の例を示す図である。
【図４】図４は、本開示の幾つかの態様による、ウェーハ上に作製された光学プローブカード及びマイクロ光学ベンチコンポーネントを用いて試験するための、光学ＭＥＭＳ構造を自らに有するウェーハを含むシステムの別の例を示す図である。
【図５】図５は、本開示の幾つかの態様による、ウェーハ上に作製された光学プローブカード及びマイクロ光学ベンチコンポーネントを用いて試験するための、光学ＭＥＭＳ構造を自らに有するウェーハを含むシステムの別の例を示す図である。
【図６】図６は、本開示の幾つかの態様による、ウェーハレベルで光学ＭＥＭＳ構造を試験するための、マイクロ光学ベンチコンポーネントを有する集積化光学プローブカードを含むシステムの例を示す図である。
【図７】図７は、本開示の幾つかの態様による、ウェーハレベルで光学ＭＥＭＳ構造を試験するための、マイクロ光学ベンチコンポーネントを有する集積化光学プローブカードを含むシステムの別の例を示す図である。
【図８】図８は、本開示の幾つかの態様による、ウェーハレベルで光学ＭＥＭＳ構造を試験するための、マイクロ光学ベンチコンポーネントを有する集積化光学プローブカードを含むシステムの別の例を示す図である。
【図９】図９は、本開示の幾つかの態様による、ウェーハレベルで光学ＭＥＭＳ構造を試験するための、マイクロ光学ベンチコンポーネントを有する集積化光学プローブカードを含むシステムの別の例を示す図である。
【図１０】図１０は、本開示の幾つかの態様による、ウェーハレベルで光学ＭＥＭＳ構造を試験するための、マイクロ光学ベンチコンポーネントを有する集積化光学プローブカードを含むシステムの別の例を示す図である。
【図１１】図１１は、本開示の幾つかの態様による、ウェーハレベルで光学ＭＥＭＳ構造を試験するための、マイクロ光学ベンチコンポーネントを有する集積化光学プローブカードを含むシステムの別の例を示す図である。
【図１２】図１２は、本開示の幾つかの態様による、ウェーハレベルで光学ＭＥＭＳ構造を試験するための、マイクロ光学ベンチコンポーネントを有する集積化光学プローブカードを含むシステムの別の例を示す図である。
【図１３】図１３は、本開示の幾つかの態様による、ウェーハレベルで光学ＭＥＭＳ構造を試験するための、マイクロ光学ベンチコンポーネントを有する集積化光学プローブカードを含むシステムの別の例を示す図である。
【図１４】図１４は、本開示の幾つかの態様による、集積化光学プローブカードの一部における斜視図を示す図である。
【図１５】図１５は、本開示の幾つかの態様による、集積化光学プローブカードを含む電子プローブカードの例を示す図である。
【図１６】図１６は、本開示の幾つかの態様による、面内光軸を備えた光学ＭＥＭＳ構造のオンウェーハ試験用の例示的なプロセスを示す流れ図である。
【発明を実施するための形態】
【００１４】
添付の図面に関連して以下で明らかにされる詳細な説明は、様々な構成の説明として意図され、且つ本明細書で説明される概念が実施され得るただ１つの構成を表すようには意図されていない。詳細な説明は、様々な概念の完全な理解を提供するための特定の詳細を含む。しかしながら、これらの概念が、これらの特定の詳細なしに実施され得ることが、当業者には明らかであろう。幾つかの事例において、周知の構造及びコンポーネントが、かかる概念を不明瞭にしないように、ブロック図の形態で示されている。
【００１５】
図１は、ウェーハ上に作製され得る光学マイクロ電気機械システム（ＭＥＭＳ）構造１００の例を示す。図１に示されている光学ＭＥＭＳ構造１００は、例えばウェーハの半導体基板１１０に作製される干渉計であってもよい。半導体基板１１０は、例えば、デバイス層１２０と、ハンドル層１４０と、デバイス層１２０とハンドル層１４０との間に挟まれた埋め込み酸化物（ＢＯＸ）層１３０と、を含むシリコンオンインシュレータ（ＳＯＩ）ウェーハであってもよい。ミラー１５０及び１５５、ＭＥＭＳアクチュエータ１６０、並びに他の光学コンポーネントなど、ＭＥＭＳ干渉計の様々なコンポーネントは、単一のリソグラフィステップを用いて画定され、且つエッチストップ（ＢＯＸ）層１３０に達するまで、高異方性プロセスを用いて、デバイス層１２０においてエッチングされてもよい。可動ミラー１５０及びＭＥＭＳアクチュエータ１６０などの任意の可動部分は、可動部分の真下のＢＯＸ層１３０を選択的に除去することによって解放されてもよい。
【００１６】
図２は、本開示の幾つかの態様に従って、ウェーハ２０５及び光学プローブカード２３０を含むシステム２００の例を示す。ウェーハ２０５は、複数のダイ２１５を含み、各ダイ２１５は、その上に作製されたそれぞれの光学ＭＥＭＳ構造１００を有する。光学ＭＥＭＳ構造１００は、図１に示されているＭＥＭＳ干渉計に似ていてもよく、又は面内光学軸を有する任意の他のタイプの光学ＭＥＭＳデバイスであってもよい。本明細書で用いられるとき、「面内」という用語は、ウェーハ２０５と平行な光の伝搬方向を指す。
【００１７】
図２で分かるように、ウェーハ２０５は、デバイス層１２０と、ハンドル層１４０と、ＢＯＸ層１３０と、で構成された半導体基板１１０を含む。光学ＭＥＭＳ構造１００は、デバイス層１２０において画定され、且つウェーハ２０５におけるそれぞれのダイシングストリート２２０によって互いに分離される。ダイシングストリート２２０は、ダイ２０５間のエリアを画定し、そのエリアを通してウェーハ２０５は、ウェーハ２０５をそれぞれのダイ２１５に分割するためにスライスされ得る。
【００１８】
本開示の様々な態様において、１つ又は複数のマイクロ光学ベンチコンポーネント２１０がまた、ウェーハ２０５上の複数のダイシングストリート２２０のそれぞれの内部でデバイス層１２０に作製されてもよい。図２に示されている例において、マイクロ光学ベンチコンポーネント２１０は、４５度の傾斜面を備えたマイクロプリズムを含む。しかしながら、マイクロ光学ベンチコンポーネント２１０が、他の又は追加のコンポーネントを含んでもよいことを理解されたい。マイクロ光学ベンチコンポーネント２１０の例には、限定するわけではないが、マイクロプリズム、マイクロミラー、マイクロレンズ、及び／又はマイクロビームスプリッタが含まれる。
【００１９】
マイクロ光学ベンチコンポーネント２１０は、例えば、デバイス層１２０においてシリコン材料から作製されてもよく、且つ光結合を改善するために、４５度の傾斜面上で、別の反射材料で金属化又は被覆されてもよい。マイクロ光学ベンチコンポーネント２１０は、光学プローブカード２３０を介し、ウェーハレベル試験を用いる試験（ＤＦＴ）用に設計される。マイクロ光学ベンチコンポーネント２１０が、ダイシングストリート２２０に作製されるので、ウェーハ２０５上のダイ領域は、最大化され得る。従って、オンウェーハ試験後に、ダイ２１５は、さいの目に切られ、それによって、マイクロ光学ベンチコンポーネント２１０を除去してもよい。
【００２０】
光学プローブ２３０は、ソース２３２（光源）、検出器２３４、及び少なくとも１つの光ファイバ２３６（それらの２つが、図２に示されている）を含む。ソース２３２は、広帯域光源又は狭帯域光源を含んでもよい。例えば、ソース２３２は、１つ又は複数の広帯域熱放射源、又は興味のある波長をカバーする発光デバイスアレイを備えた量子源を含んでもよい。検出器２３４は、例えば、検出器アレイ又は単一の画素検出器を含んでもよい。光ファイバ２３６は、例えば、シングルコアファイバ、デュアルコアファイバ、又はファイバ束を含んでもよい。
【００２１】
ソース２３２は、光入力ビームを生成するように、且つ試験下のダイ２１５上の光学ＭＥＭＳ構造１００の入力部に隣接して位置するウェーハ２０５上の入力マイクロ光学ベンチコンポーネント２１０の方へ、入力光ファイバ２３６を介して入力ビームを導くように構成される。図２に示されているように、入力ファイバ２３６は、ウェーハ２０５の平面に対して面外方向に伝搬するように入力ビームを導く。本明細書で用いられるとき、「面外」という用語は、ウェーハ２０５に垂直な光の伝搬方向を指す。試験下の光学ＭＥＭＳ構造１００が、入力光ファイバ２３６からの入力ビームの面外伝搬方向に垂直な面内光学軸を有するので、入力マイクロ光学ベンチコンポーネント２１０は、入力ビームを面外方向から、ウェーハ２０５と平行な、且つ試験下の光学ＭＥＭＳ構造１００の面内光学軸を含む面内方向へ方向転換するように構成される。次に、入力マイクロ光学ベンチコンポーネント２１０は、光学ＭＥＭＳ構造１００内の伝搬用に、試験下の光学ＭＥＭＳ構造１００に入力ビームを導いてもよい。入力ビームは、自由空間伝搬又は導波路／誘導伝搬を利用して、光学ＭＥＭＳ構造１００内を面内に伝搬してもよい。
【００２２】
図２に示されている例において、別のマイクロ光学ベンチコンポーネント２１０が、ウェーハ２０５に平行に（例えば面内方向に）伝搬する出力ビームを受信するために、試験下の光学ＭＥＭＳ構造１００の出力部に隣接して位置する。出力マイクロ光学ベンチコンポーネント２１０は、出力光ファイバ２３６の方へ、面内方向から面外方向に出力ビームを方向転換するように構成される。次に、出力光ファイバ２３６は、検出器２３４の方へ出力ビームを導く。従って、マイクロ光学ベンチコンポーネント２１０のそれぞれは、ダイ２１５の面内（水平）ウェーハレベル試験を容易にするために、面外方向と、光学ＭＥＭＳ構造１００の面内光学軸を含む面内方向との間で入力ビーム及び出力ビームを方向転換するように光学的に結合される。
【００２３】
図３は、本開示の幾つかの態様による、マイクロ光学ベンチコンポーネント２１０がウェーハ２０５上に作製される試験システム２００の別の例を示す図である。図３に示されている例において、ウェーハ２０５の裏側は、光学プローブカード２３０によるダイ２１５の裏側試験を可能にするために、ダイシングストリート２２０においてエッチングされる。加えて、マイクロ光学ベンチコンポーネント（マイクロプリズム）２１０は、金属化されず、従って面外方向と面内方向との間で入力及び出力ビームを方向転換するために、マイクロプリズムの４５度の傾斜界面における全内部反射の利用を促進する。
【００２４】
図４は、本開示の幾つかの態様による、マイクロ光学ベンチコンポーネント２１０がウェーハ２０５上に作製される試験システムの別の例を示す図である。図４に示されている例において、光学プローブカード２３０は、光入力／出力ビームの送信及び受信両方に使用される単一の光ポートだけを含む。この例において、光学プローブカード２３０は、ソース２３２から光ファイバ２３６に入力ビームを導く方向性結合器４１０に光学的に結合される単一の光ファイバ２３６を含み、次に、光ファイバ２３６は、試験下のダイ２１５に関連するマイクロ光学ベンチコンポーネント２１０の方へ入力ビーム２３６を導いてもよい。方向性結合器４１０は、マイクロ光学ベンチコンポーネント２１０から光ファイバ２３６によって受信された反射信号（出力ビーム）を検出器２３４の方へ更に導く。幾つかの例において、ソース２３２及び結合器４１０は、それぞれ広帯域であってよく、従って、波面分割結合器及び／若しくは自由空間結合器又はビームスプリッタが、方向性結合器４１０として利用され得るようにしてもよい。
【００２５】
従って、この構成を用いれば、単一のマイクロ光学ベンチコンポーネント（マイクロプリズム）２１０だけが、ダイシングストリート２２０のそれぞれにおいて作製される必要があり得る。光学プローブカード２３０の単一の入力／出力ポート、シングルコア光ファイバ２３６、及び方向性結合器４１０構成もまた、図６−１３に示されている実施形態のいずれかなど、マイクロ光学ベンチコンポーネント２１０が光学プローブカード２３０上に集積される実施形態において利用され得る。
【００２６】
図５は、本開示の幾つかの態様による、マイクロ光学ベンチコンポーネント２１０がウェーハ２０５上に作製される試験システム２００の別の例を示す図である。図４に示されている例におけるように、光学プローブカード２３０は、単一の光ファイバ２３６と共に単一の入力／出力ポートを含む。しかしながら、図５に示されている例において、光ファイバ２３６は、デュアルコアファイバ又はファイバ束であってもよい。デュアルコアファイバ２３６は、２つの隣接するファイバコア、即ち、入力部として働き、且つソース２３２に光学的に結合される１つのファイバコア、及び出力部として働き、且つ検出器２３４に光学的に結合される１つのファイバコアを含んでもよい。ファイバ束２３６は、多数の隣接するコアを含んでもよく、それらのコアの幾つかは、入力部として働き、且つソースに光学的に結合され、その他は、出力部として働き、且つ検出器２３４に光学的に結合される。従って、デュアルコア光ファイバ又はファイバ束２３６は、別個の入力及び出力ファイバポートを含んでもよく、それぞれのファイバポートは、ソース２３２及び検出器２３４にそれぞれ接続される。光学プローブカード２３０における光ファイバ２３６のデュアルコア／ファイバ束構成はまた、図６−１５に示されている実施形態のいずれかなど、マイクロ光学ベンチコンポーネント２１０が光学プローブカード２３０上に集積される実施形態において利用されてもよい。
【００２７】
図６は、本開示の幾つかの態様による、マイクロ光学ベンチコンポーネント２１０が光学プローブカード２３０上に集積される試験システム２００の例を示す図である。光学プローブカード２３０は、２つの光ファイバ２３６を含み、各光ファイバは、４５度のそれぞれの切断角度で切断され、それによって、面外方向と面内方向との間で入力及び出力ビームを方向転換するために、４５度で切断されたガラス界面からの全内部反射を用いる。従って、マイクロ光学ベンチコンポーネント２１０は、光ファイバ２３６の切断されたガラス界面で形成される。
【００２８】
例示的な動作において、ソース２３２は、入力ビームを生成し得、且つ試験下の光学ＭＥＭＳ構造１００の入力部に隣接して配置された入力光ファイバ２３６の切断されたガラス界面２１０の方へ、入力光ファイバ２３６を介して入力ビームを導く。入力光ファイバ２３６の切断されたガラス界面は、試験下の光学ＭＥＭＳ構造１００の入力部の方へ、面外方向から面内方向に入力ビームを方向転換するように光学的に結合される入力マイクロ光学ベンチコンポーネント２１０として機能する。試験下の光学ＭＥＭＳ構造１００の出力部に隣接して配置された出力光ファイバ２３６の切断されたガラス界面は、面内方向に伝搬する出力ビームを受信するために、且つ検出器２３４の方へ、面内方向から面外方向に出力ビームを方向転換するために、出力マイクロ光学ベンチコンポーネント２１０として機能する。
【００２９】
図７は、本開示の幾つかの態様による、マイクロ光学ベンチコンポーネント２１０が光学プローブカード２３０上に集積される試験システムの別の例を示す図である。図７に示されている例において、入力及び出力光ファイバ２３６の切断面は、それぞれの反射コーティング７００（例えば誘電体又は金属コーティング）で被覆される。従って、全内部反射を用いる代わりに、切断された光ファイバ２３６のそれぞれにおける被覆面７００は、面外方向と面内方向との間で入力及び出力ビームを方向転換するためのマイクロ光学ベンチコンポーネント２１０として機能する。
【００３０】
図８は、本開示の幾つかの態様による、マイクロ光学ベンチコンポーネントが光学プローブカード２３０上に集積される試験システム２００の別の例を示す図である。図８に示されている例において、入力及び出力光ファイバ２３６のそれぞれは、回折損失を低減することによって、試験下の光学ＭＥＭＳ構造１００への又はそこからの入力及び出力ビームの結合効率を向上させるために、それぞれの集積されたｇｒｉｎ（グリン）レンズ８００を含む。
【００３１】
図９は、本開示の幾つかの態様による、マイクロ光学ベンチコンポーネント２１０が光学プローブカード２３０上に集積される試験システム２００の別の例を示す図である。図９に示されている例において、マイクロ光学ベンチコンポーネント２１０は、マイクロプリズム９００を含み、各マイクロプリズム９００は、別の反射材料で金属化又は被覆される４５度の傾斜面９１０を有する。マイクロプリズム９００のそれぞれは、光学プローブカード２３０の本体に搭載され、且つ入力／出力光ファイバ２３６と整列される。
【００３２】
例示的な動作において、ソース２３２は、入力ビームを生成し、且つ試験下の光学ＭＥＭＳ構造１００の入力部に隣接して配置された入力マイクロプリズム９００の方へ、入力光ファイバ２３６を介して入力ビームを導いてもよい。入力マイクロプリズム９００は、試験下の光学ＭＥＭＳ構造１００の入力部の方へ、面外方向から面内方向に入力ビームを方向転換するように光学的に結合される。試験下の光学ＭＥＭＳ構造１００の出力部に隣接して配置された出力マイクロプリズム９００は、面内方向に伝搬する出力ビームを受信するように、且つ出力光ファイバ２３６及び検出器２３４の方へ、面内方向から面外方向に出力ビームを方向転換するように光学的に結合される。
【００３３】
図１０は、本開示の幾つかの態様による、光学プローブカード２３０上に集積されたマイクロ光学ベンチコンポーネント２１０を含む試験システム２００の別の例を示す図である。図１０に示されている例において、マイクロ光学ベンチコンポーネント２１０は、マイクロプリズム９００を含み、各マイクロプリズム９００は、金属化された曲面１０００を有する。幾つかの例において、曲面１０００は、試験下の光学ＭＥＭＳ構造１００に入力ビームを集束させること、及び出力光ファイバ２３６の方へ出力ビームを集束させることによって、光学プローブカード２３０の光結合効率を向上させるように設計されてもよい。
【００３４】
図１１は、本開示の幾つかの態様による、マイクロ光学ベンチコンポーネント２１０が光学プローブカード２３０上に集積される試験システム２００の別の例を示す図である。図１１に示されている例において、入力及び出力光ファイバ２３６のそれぞれは、それぞれのレンズ１１００を含むレンズドファイバである。光ファイバ２３６上の集積化レンズ１１００は、例えば、円柱レンズ、ボールレンズ、又はｇｒｉｎレンズであってもよい。幾つかの例において、レンズド光ファイバ２３６は、入力マイクロプリズム９００を介して、試験下の光学ＭＥＭＳ構造１００に入力ビームを集束させること、及び出力マイクロプリズム９００から受信された出力ビームを検出器２３４の方へ集束させることによって、光学プローブカード２３０の光結合効率を向上させるように設計されてもよい。
【００３５】
図１２は、本開示の幾つかの態様による、マイクロ光学ベンチコンポーネント２１０が光学プローブカード２３０上に集積される試験システム２００の別の例を示す図である。図１２に示されている例において、マイクロ光学ベンチコンポーネント２１０は、マイクロプリズム９００を含み、各マイクロプリズム９００は、面外方向と面内方向との間で入力及び出力ビームを方向転換するために、マイクロプリズムのそれぞれが、マイクロプリズム９００内の全内部反射を利用できるように、金属化されない４５度の傾斜面９１０を有する。マイクロプリズム９００のそれぞれは、光学プローブカード２３０の本体に搭載され、且つ入力／出力光ファイバ２３６と整列される。
【００３６】
図１３は、本開示の幾つかの態様による、マイクロ光学ベンチコンポーネント２１０が光学プローブカード２３０上に集積される試験システム２００の別の例を示す図である。図１３に示されている例において、マイクロ光学ベンチコンポーネント２１０は、マイクロプリズム９００、即ち、試験下の光学ＭＥＭＳ構造１００に入力ビームを集束させること、及び出力光ファイバ２３６の方へ出力ビームを集束させることによって、光学プローブカードの光結合効率を向上させるために全内部反射を促進する曲面９１０で作製されたマイクロプリズム９００を含む。
【００３７】
図１４は、本開示の幾つかの態様による、集積化光学プローブカード２３０の一部における斜視図を示す図である。特に、図１４は、集積化光学プローブカード２３０の本体１４００、即ち、その上に作製された２つの隣接する光学金属化マイクロプリズム９００ａ及び９００ｂを含む集積化光学プローブカード２３０の本体１４００を示し、マイクロプリズム９００ａ及び９００ｂのそれぞれは、面外方向と面内方向との間で入力ビーム及び出力ビームを方向転換するために、４５度の傾斜を有する。集積化光学プローブカード２３０は、入力及び出力光ファイバをそれぞれ受け入れるように構成された２つの半円筒（グルーブ）１４００ａ及び１４００ｂを更に含む（例えば、入力及び出力光ファイバは、グルーブ１４００ａ及び１４００ｂに挿入されてもよい）。次に、入力及び出力光ファイバは、ソース及び検出器にそれぞれ接続されてもよく、入力及び出力光ファイバは、幾つかの例において、２つのグルーブ１４００ａ及び１４００ｂの中に直接統合されてもよい。集積化光学プローブカード２３０は、少なくとも１つの交差位置合わせマーク１４２０を更に含み、交差位置合わせマーク１４２０は、集積化光学プローブカードが、電子プローブカードなどの別のデバイス上で組み立てられる場合に、集積化光学プローブカード２３０を整列させるために用いられてもよい。
【００３８】
図１５は、本開示の幾つかの態様による、集積化光学プローブカード２３０を含む電子プローブカード１５００の例を示す図である。電子プローブカードは、入力電気信号を供給し、次に出力信号を精査するために、特定の位置で試験下のダイと接触するための複数の電子ニードル１５１０を含む。集積化光学プローブカード２３０は、電子プローブカード１５００上の任意の位置で、且つ任意の取り付け機構を介して、電子プローブカード１５００の本体に取り付けられてもよい。図１５に示されている例において、集積化光学プローブカード２３０は、電子ニードル１５１０に接して電子プローブカード１５００と集積される。例えば、集積化光学プローブカード２３０は、光学プローブカード２３０用の追加的サポートを提供するために、（図１５に示されているように）電子ニードル１５１０の１つ又は電子ニードル１５１０の幾つかと接して組み立てられてもよい。
【００３９】
図１６は、本開示の幾つかの態様による、面内光軸を備えた光学ＭＥＭＳ構造のオンウェーハ試験用の例示的なプロセス１６００を示す流れ図である。プロセスは、ブロック１６０２で始まり、ブロック１６０２において、入力ビームが、ソースによって生成される。ブロック１６０４において、入力ビームは、試験下の光学ＭＥＭＳ構造の面内光学軸に垂直な面外方向において、試験下の光学ＭＥＭＳ構造の方へ導かれてもよい。
【００４０】
ブロック１６０６において、入力ビームは、面外方向から、面内光学軸を含む面内方向に方向転換されてもよい。例えば、１つ又は複数のマイクロ光学ベンチコンポーネントが、試験下の光学ＭＥＭＳ構造への入力用に面内方向へ入力ビームを方向転換してもよい。ブロック１６０８において、出力ビームが、試験下の光学ＭＥＭＳ構造から面内方向で受信されてもよい。ブロック１６１０において、出力ビームは、検出器の方へ、面内方向から面外方向に方向転換されてもよい。
【００４１】
本開示内において、「例示的な」という単語は、「例、事例又は実例として働く」ことを意味するために用いられる。「例示的な」として本明細書で説明されるどんな実装形態又は態様も、本開示の他の態様に勝って好ましいか又は有利であると必ずしも解釈されるべきではない。同様に、「態様」という用語は、本開示の全ての態様が、説明された特徴、利点、又は動作モードを含むことを必要とするわけではない。「結合された（る）」という用語は、２つの対象間の直接又は間接的結合を指すために本明細書で用いられる。例えば、対象Ａが、対象Ｂに物理的に接触し、且つ対象Ｂが、対象Ｃに接触する場合に、対象Ａ及びＣは、たとえそれらが、互いに直接に物理的に接触していない場合にさえ、やはり互いに結合されていると見なされてもよい。例えば、たとえ第１の対象が、第２の対象に直接に物理的に接触していなくても、第１の対象は、第２の対象に結合され得る。「回路」及び「回路構成要素」という用語は、広く用いられ、且つ接続され構成された場合に、電子回路のタイプに関する制限なしに、本開示で説明される機能の遂行を可能にする電気デバイスのハードウェア実装形態及びコンダクタの両方と同様に、プロセッサによって実行された場合に、本開示で説明される機能の遂行を可能にする情報及び命令のソフトウェア実装形態を含むように意図されている。
【００４２】
図１−１６に示されているコンポーネント、ステップ、特徴及び／又は機能の１つ又は複数は、単一のコンポーネント、ステップ、特徴又は機能に再配置され、且つ／又は組み合わされるか、又は幾つかのコンポーネント、ステップ又は機能で具体化されてもよい。追加の素子、コンポーネント、ステップ及び／又は機能がまた、本明細書で開示される新規の特徴から逸脱せずに追加され得る。図１−１５に示されている機器、デバイス及び／又はコンポーネントは、本明細書で説明される方法、特徴又はステップの１つ又は複数を実行するように構成されてもよい。本明細書で説明される新規のアルゴリズムはまた、ソフトウェアにおいて効率的に実施され、及び／又はハードウェアに埋め込まれてもよい。
【００４３】
開示される方法のステップにおける特定の順序又は階層が、例示的なプロセスの実例であることを理解されたい。設計の優先権に基づいて、方法のステップにおける特定の順序又は階層が、再配置されてもよいことが理解される。添付の方法クレームは、見本の順序で様々なステップの要素を提示し、且つクレームにおいて特に挙げられない限り、提示される特定の順序又は階層に限定されるようには意味されていない。
【００４４】
前述の説明は、いずれかの当業者が、本明細書で説明される様々な態様を実施できるようにするために提供される。これらの態様に対する様々な修正が、当業者には容易に明らかになるであろうし、本明細書で定義される一般的な原理は、他の態様に適用されてもよい。従って、クレームは、本明細書で示された態様に限定されるようには意図されず、クレームの言語と一致する完全な範囲を与えられるべきであり、単数形の要素への言及は、特に単数と言明されていない限り、「１つだけ」を意味するように意図されず、むしろ「１つ又は複数」である。特に別段の言明がない限り、「幾つか」という用語は、１つ又は複数を指す。用語リスト「の少なくとも１つ」は、単一のメンバーを含む、それら用語の任意の組み合わせを指す。例として、「ａ、ｂ又はｃの少なくとも１つ」は、ａ、ｂ、ｃ、ａ及びｂ、ａ及びｃ、ｂ及びｃ、並びにａとｂとｃをカバーするように意図されている。当業者に周知か又は後で周知になる、この開示の全体にわたって説明された様々な態様の要素に対する全ての構造的及び機能的な等価物は、参照によって本明細書に明示的に援用され、且つクレームによって包含されるように意図されている。更に、本明細書で開示される何ものも、かかる開示が、クレームで明示的に挙げられているかどうかにかかわらず、公衆に捧げられることを意図されていない。請求要素のどれも、要素が、「〜のための手段（ｍｅａｎｓ  ｆｏｒ）」という句を用いて明示的に挙げられるか、又は方法クレームの場合に、要素が、「〜のためのステップ（ｓｔｅｐ  ｆｏｒ）」という句を用いて挙げられていない限り、米国特許法第１１２条（ｆ）の条項下で解釈されるべきではない。
【図１】
2020513687.tif 000003
【図２】
2020513687.tif 000004
【図３】
2020513687.tif 000005
【図４】
2020513687.tif 000006
【図５】
2020513687.tif 000007
【図６】
2020513687.tif 000008
【図７】
2020513687.tif 000009
【図８】
2020513687.tif 000010
【図９】
2020513687.tif 000011
【図１０】
2020513687.tif 000012
【図１１】
2020513687.tif 000013
【図１２】
2020513687.tif 000014
【図１３】
2020513687.tif 000015
【図１４】
2020513687.tif 000016
【図１５】
2020513687.tif 000017
【図１６】
2020513687.tif 000018
【手続補正書】
【提出日】平成30年6月21日(2018.6.21)
【手続補正１】
【補正対象書類名】特許請求の範囲
【補正対象項目名】全文
【補正方法】変更
【補正の内容】
【特許請求の範囲】
【請求項１】
光学ＭＥＭＳ構造をバッチ試験するための集積化光学プローブカードにおいて、
入力ビームを生成するように、且つ光学ＭＥＭＳ構造の方へ前記入力ビームを提供するように構成されたソースであって、前記光学ＭＥＭＳ構造が、面内光学軸を含む、ソースと、
前記光学ＭＥＭＳ構造からの出力ビームを受信するように光学的に結合された検出器と、
前記面内光学軸に垂直な面外方向に伝搬する前記入力ビームを前記ソースから受信するように、且つ前記光学ＭＥＭＳ構造の前記面内光学軸を含む面内方向に前記入力ビームを方向転換して、前記入力ビームを前記面内方向で前記光学ＭＥＭＳ構造に注入するように、前記集積化光学プローブカード上に集積された、且つ光学的に結合されたマイクロ光学ベンチコンポーネントであって、前記面内方向に伝搬する前記出力ビームを前記光学ＭＥＭＳ構造から受信するように、且つ前記検出器の方へ、前記面外方向に前記出力ビームを方向転換するように、更に光学的に結合されたマイクロ光学ベンチコンポーネントと、
含むことを特徴とする集積化光学プローブカード。
【請求項２】
請求項１に記載の集積化光学プローブカードにおいて、
前記マイクロ光学ベンチコンポーネントが、
前記光学ＭＥＭＳ構造内の前記入力ビームの伝搬用に、前記面外方向から前記面内方向に前記入力ビームを方向転換するように光学的に結合された第１のマイクロ光学ベンチコンポーネントと、
前記面内方向から前記面外方向に前記出力ビームを方向転換するように光学的に結合された第２のマイクロ光学ベンチコンポーネントと、
を含むことを特徴とする集積化光学プローブカード。
【請求項３】
請求項２に記載の集積化光学プローブカードにおいて、
前記第１のマイクロ光学ベンチコンポーネントが、第１の切断面を生成するために、４５度の切断角度で切断された第１の光ファイバを含み、
前記第２のマイクロ光学ベンチコンポーネントが、第２の切断面を生成するために、４５度の切断角度で切断された第２の光ファイバを含むことを特徴とする集積化光学プローブカード。
【請求項４】
請求項３に記載の集積化光学プローブカードにおいて、
前記第１の切断面が、全内部反射を利用して前記光学ＭＥＭＳ構造の方へ、前記面外方向から前記面内方向に前記入力ビームを方向転換するように構成され、
前記第２の切断面が、全内部反射を利用して前記検出器の方へ、前記面内方向から前記面外方向に前記出力ビームを方向転換するように構成されることを特徴とする集積化光学プローブカード。
【請求項５】
請求項３に記載の集積化光学プローブカードにおいて、
前記第１の切断面が、前記光学ＭＥＭＳ構造の方へ、前記面外方向から前記面内方向に前記入力ビームを方向転換するように構成された第１の反射コーティングを含み、
前記第２の切断面が、前記検出器の方へ、前記面内方向から前記面外方向に前記出力ビームを方向転換するように構成された第２の反射コーティングを含むことを特徴とする集積化光学プローブカード。
【請求項６】
請求項５に記載の集積化光学プローブカードにおいて、
前記第１及び前記第２の光ファイバのそれぞれが、それぞれの集積化ｇｒｉｎレンズを含むことを特徴とする集積化光学プローブカード。
【請求項７】
請求項２に記載の集積化光学プローブカードにおいて、
前記第１のマイクロ光学ベンチコンポーネントが、第１のマイクロプリズムを含み、前記第２のマイクロ光学ベンチコンポーネントが、第２のマイクロプリズムを含み、
前記ソースから前記入力ビームを受信するように、且つ前記第１のマイクロプリズムの方へ前記入力ビームを導くように光学的に結合された入力光ファイバと、
前記第２のマイクロプリズムから前記出力ビームを受信するように、且つ前記検出器の方へ前記出力ビームを導くように光学的に結合された出力光ファイバと、
を更に含むことを特徴とする集積化光学プローブカード。
【請求項８】
請求項７に記載の集積化光学プローブカードにおいて、
前記第１のマイクロプリズムが、前記光学ＭＥＭＳ構造の方へ、前記面外方向から前記面内方向に前記入力ビームを方向転換するように構成された前記第１の金属化表面を含み、
前記第２のマイクロプリズムが、前記検出器の方へ、前記面内方向から前記面外方向に前記出力ビームを方向転換するように構成された前記第２の金属化表面を含むことを特徴とする集積化光学プローブカード。
【請求項９】
請求項８に記載の集積化光学プローブカードにおいて、
前記第１の金属化表面及び前記第２の金属化表面が、各々の曲面をそれぞれ含むことを特徴とする集積化光学プローブカード。
【請求項１０】
請求項８に記載の集積化光学プローブカードにおいて、
前記入力光ファイバが、前記第１のマイクロプリズムを介して、前記光学ＭＥＭＳ構造に前記入力ビームを集束させるように光学的に結合された第１の集積化レンズを含み、
前記出力光ファイバが、前記検出器の方へ、前記出力ビームを集束させるように光学的に結合された第２の集積化レンズを含むことを特徴とする集積化光学プローブカード。
【請求項１１】
請求項７に記載の集積化光学プローブカードにおいて、
前記第１のマイクロプリズムが、全内部反射を利用して前記光学ＭＥＭＳ構造の方へ、前記面外方向から前記面内方向に前記入力ビームを方向転換するように構成され、
前記第２のマイクロプリズムが、全内部反射を利用して前記検出器の方へ、前記面内方向から前記面外方向に前記出力ビームを方向転換するように構成されることを特徴とする集積化光学プローブカード。
【請求項１２】
請求項１１に記載の集積化光学プローブカードにおいて、
前記第１のマイクロプリズム及び前記第２のマイクロプリズムが、各々の曲面をそれぞれ含むことを特徴とする集積化光学プローブカード。
【請求項１３】
請求項１に記載の集積化光学プローブカードにおいて、
前記面外方向に伝搬する前記入力ビームを前記マイクロ光学ベンチコンポーネントの方へ導くように光学的に結合された、且つ前記マイクロ光学ベンチコンポーネントから前記面外方向に伝搬する前記出力ビームを受信するように更に光学的に結合されたシングルコア光ファイバと、
前記シングルコアファイバ、前記ソース及び前記検出器に光学的に結合された方向性結合器であって、前記ソースからの前記入力ビームを前記シングルコアファイバに導くように、且つ前記シングルコアファイバからの前記出力ビームを前記検出器に導くように構成される方向性結合器と、
を更に含むことを特徴とする集積化光学プローブカード。
【請求項１４】
請求項１に記載の集積化光学プローブカードにおいて、
前記ソースからの前記入力ビームを前記マイクロ光学ベンチコンポーネントの方へ導くように光学的に結合された、且つ前記マイクロ光学ベンチコンポーネントからの前記出力ビームを前記検出器に導くように更に光学的に結合されたデュアルコア光ファイバ又は光ファイバ束を更に含むことを特徴とする集積化光学プローブカード。
【請求項１５】
請求項１に記載の集積化光学プローブカードにおいて、
電子プローブカードに取り付けられることを特徴とする集積化光学プローブカード。
【請求項１６】
請求項１５に記載の集積化光学プローブカードにおいて、
前記電子プローブカードの１つ又は複数の電子ニードルに接して組み立てられることを特徴とする集積化光学プローブカード。
【請求項１７】
請求項１に記載の集積化光学プローブカードにおいて、
前記マイクロ光学ベンチコンポーネントが作製されるプローブカード本体を更に含み、且つ少なくとも１つの光ファイバを受け入れるように構成される、前記プローブカード本体上に作製される少なくとも１つのグルーブを更に含むことを特徴とする集積化光学プローブカード。
【請求項１８】
ウェーハ試験を実行するためのシステムにおいて、
試験下の複数のダイを含むウェーハであって、試験下の前記ダイのそれぞれが、複数の光学ＭＥＭＳ構造のそれぞれの１つを含み、前記複数の光学ＭＥＭＳ構造のそれぞれが、面内光学軸を含む、ウェーハと、
光学プローブカードであって、
入力ビームを生成するように、且つ前記複数の光学ＭＥＭＳ構造における光学ＭＥＭＳ構造の方へ前記入力ビームを提供するように構成されたソースと、
前記光学ＭＥＭＳ構造から出力ビームを受信するように光学的に結合された検出器と、
前記面内光学軸に垂直な面外方向に伝搬する前記入力ビームを前記ソースから受信するように、且つ前記光学ＭＥＭＳ構造の前記面内光学軸を含む面内方向に前記入力ビームを方向転換して、前記入力ビームを前記面内方向で前記光学ＭＥＭＳ構造に注入するように、前記光学プローブカード上に集積された、且つ光学的に結合されたマイクロ光学ベンチコンポーネントであって、前記面内方向に伝搬する前記出力ビームを前記光学ＭＥＭＳ構造から受信するように、且つ前記検出器の方へ、前記面外方向に前記出力ビームを方向転換するように、更に光学的に結合されたマイクロ光学ベンチコンポーネントと、を含む光学プローブカードと、
を含むことを特徴とするシステム。
【国際調査報告】
2020513687.tif 000019
2020513687.tif 000020
2020513687.tif 000021